(57)【要約】      （修正有）【課題】一つの袱紗に金封例えば御霊前と数珠を組み合わせ収容して、先方様に不快感を与えることなく丁寧に開き各ポケットから御霊前と数珠を順次取り出して、御霊前を先方様にきちんと渡すことができる袱紗を提供する。【解決手段】二つ折り袱紗１００において、裏地２０３の二つ折り目２０４の左右下部にポケットＰ１，Ｐ２を設け、このポケットの一方に数珠の房Ｆを他方に金封Ｋ２を、出し入れ可能に収容し、数珠の房入れポケットの上方に数珠の輪を掛けて押さえるバンドＢ２とホックＨ４とを有する数珠掛け具を取り付けてなる。【選択図】図１
0003194241.tif 000002
【実用新案登録請求の範囲】
【請求項１】
二つ折り袱紗において、裏地の二つ折り目の左右下部にポケットを設け、このポケットの一方に数珠の房を他方に金封を、出し入れ可能に収容し、数珠の房入れポケットの上方に数珠の輪を掛けて押さえる数珠掛け具を取り付けてなることを特徴とする袱紗。
【考案の詳細な説明】
【技術分野】
【０００１】本考案は、冠婚葬祭において、熨斗袋（祝儀袋・不祝儀袋）を包むのに使用され、一般に服紗，覆紗，帛紗などと言われている袱紗に関するものである。
【背景技術】
【０００２】  袱紗は、元来，柔らかな手触りのよいことを指し，《日葡辞書》では〈袱紗物〉〈袱紗絹〉などとともに〈袱紗な人〉（物柔らかで人あたりのよい人）の用例もある。【０００３】  その上で、袱紗は、元々貴重品などが収蔵された箱上に掛けられ、服紗小袖，袱紗帯のごとく柔らかな絹布製の風呂敷であった。
その風呂敷が贈答品を運ぶ時の汚れや日焼け防止として用いられるようになり１枚の布地から裏地付きの絹製で四方に亀房と呼ばれる房付きのものに変わり、慶弔行事の金品を贈る時の儀礼や心遣いとして広蓋（黒塗りの盆）と併せて用いられるようになったまた一般に茶の湯では方形の縮緬や絹布を言う。【０００４】  袱紗に関する背景はこのようであるが、現在は、図２に示すような台・爪付の小型の風呂敷タイプの他に、図３に示すような２つ折りや三つ折りタイプの金封袱紗、左開きの弔事（お悔やみ）袱紗、右開きの慶事（お祝い）袱紗やお見舞袱紗が多く市販され利用されている。
因みに、図２例の風呂敷タイプ袱紗の場合、熨斗袋を包む場合は結婚式などの慶事には右前に包み、葬儀など弔事には左前に包む。祝儀袋の包み方は祝儀袋を中心より少し左の方へ寄せておき左側を中に折り込み上側をたたみ、次に下側をたたみ右側を折り裏へ折り返す。不祝儀袋の包み方は、不祝儀袋を中心より少し右の方へ寄せておき右側を中に折り込み下側をたたみ、次に上側をたたみ左側を折り裏へ折り返す。【０００５】表１には袱紗の用途と色の例を示す。
表１以外にも様々な色のものがあり、暖色系の明るい色は慶事用、寒色系の沈んだ色は弔事用、紫色はどちらにも使える。【０００６】
【表１】
0003194241.tif 000003
【考案の開示】
【考案が解決しようとする課題】
【０００７】  一般に、袱紗は、金封袱紗、数珠袱紗のように金封単位或いは数珠単位に使用されるのが通例である。このため複数の袱紗が必要になり先方様の面前で出し入れ操作するなど甚だ煩雑になり先方様に不快感を与えることも多い。【０００８】本考案は、このような事態を未然に防止するために、一つの袱紗に金封例えば御霊前と数珠とを組み合わせ収容して、袱紗の本来の機能と目的を淘汰する袱紗を提供するものである。
【課題を解決するための手段】
【０００９】本考案は、前記の課題を満足する袱紗であり、その特徴をする構成は次の通りである。二つ折り袱紗において、裏地の二つ折り目の左右下部にポケットを設け、このポケットの一方に数珠の房を他方に金封を、出し入れ可能に収容し、数珠の房入れポケットの上方に数珠の輪を掛けて押さえる数珠掛け具を取り付けてなることを特徴とする袱紗。
【考案の効果】
【００１０】  本考案の袱紗において、前記ポケットは、袱紗の表地と識別可能な色及び／又は材質にしてポケットであることが一目瞭然に判断でき金封の下部と数珠の下部の房を差し込み収容可能にすることが好ましい。
また、利き腕との関係及び慣習との関係があるが、右利きの場合、左手で袱紗を持ち右手で二つ折り袱紗を内側面を開き、最初に主なる金封を右側から徐に（おもむろに）抜き取って先方様に丁寧に渡し、続いて数珠を左側から徐に外し取って手に掛けることができるので、二つ折り袱紗の右ポケットに金封を左ポケットに数珠を予め収容しておくことになる。しかしこれは一例であり、最初に数珠を取り出して手に掛けた後に金封を取り出して渡すこともあり、また先方様との相対位置関係では必ずしもこの二例のように決まることとは限らず多少変形されるものの基本的には、金封と数珠の丁寧な取り出しと、先方様への金封のお渡しが確実になされ先方様に失礼になるようなことはない。
このように本考案の袱紗は、前記構成により、一つの袱紗に金封例えば御霊前と数珠を組み合わせ収容して、先方様に不快感を与えることなく丁寧に開き各ポケットから御霊前と数珠を順次取り出して、御霊前を先方様にきちんと渡すことができる袱紗である。
【図面の簡単な説明】
【００１１】
【図１】本考案の実施例１の左開きの弔事（お悔やみ）袱紗例の外側面の正面図（１）、外側面の展開図（２）、内側面の展開図（３）である。
【図２】従来の袱紗の例で、台・爪付の小型の風呂敷タイプを示す。
【図３】従来の袱紗の例で、２つ折りや三つ折りタイプの金封袱紗を示す。
【考案を実施するための形態】
【００１２】本考案を実施するための形態は、図面に示す実施例により詳細に説明する。
【実施例１】
【００１３】図１に本考案の実施例１の左開き弔事（お悔やみ）用の二つ折り袱紗の外側面の正面図（１）、外側面の展開図（２）、内側面の展開図（３）を示す。
袱紗１００は、図１の（１）に示すように外側面の正面は、表生地を上下二段生地にし、上段生地２０１を冠婚葬祭の何れにも使用できる紫色にして上から６分の５と広く取り、下段生地２０２をうぐいす色にして残りの６分の１にしたものである。
外側面の裏面も図１の（２）に示すように同様である．
袱紗１００は図１の（２）に示すように正面の左端中央部に雌ホックＨ１を設け裏面右端中央部の内側にバンドＢの後端を縫込み連結し、バンドＢ１の先部に雄ホックＨ２を設けて、二つ折りの際これら雌ホックＨ１に雄ホックＨ２を嵌めて閉める。
ホックの代わりに他の公知のワンタッチ着脱具を適宜設けることができる。【００１４】また袱紗１００は内表面を、図１の（３）に示すように裏生地（裏地）２０３で構成し、表生地と２０１，２０２と裏生地（裏地）２０３の間で二つ折り目２０４の左右に夫々矩形の型紙（図示せず）を装入して二つ折り袱紗を保形する。
また二つ折り目２０４の左右下部にポケットＰ１，Ｐ２を設ける。このポケットＰ１，Ｐ２は、前記下段生地２０２を裏生地側に回して形成してあり、向かって左側のポケットＰ１に数珠Ｋ１の下部の房Ｆを収容し、向かって右側のポケットＰ２に御霊前金封Ｋ２を収容したものである。
数珠Ｋ１は、数珠の房Ｆを入れたポケットＰ１の上方に数珠Ｋ１の輪Ｗを掛けて押さえる数珠掛け具を取り付けてある。数珠掛け具は内面２０３の左側の上部中央部に雌ホックＨ３を設け、その上方端バンドＢ２の一端部を縫込み連結し、バンドＢ１の先部に雄ホックＨ４を設けて、数珠Ｋ１の輪ＷにバンドＢ２を掛けて雌ホックＨ３に雄ホックＨ４を嵌めて外れないように掛け支持する。【００１５】  本実施例１の袱紗１００は、前記構成により、一つの袱紗に一対の金封として新婚旅行出発の際のご祝儀金封（主金封）Ｋ１と餞別金封（従金封）Ｋ２を組み合わせ収容して、先方様に不快感を与えることなく丁寧に開き各ポケットから順次金封を抜き取り渡すことができるのである。
他の金封の組み合わせとしては、図１の（４）に示すように御霊前と御花代（お花料）Ｒ２などがある。
【産業上の利用可能性】
【００１６】本考案の袱紗は、前記した優れた作用効果を呈するため、冠婚葬祭業界に貢献すること多大なものがある。
【符号の説明】
【００１７】１００：袱紗
２０１：上段生地
２０２：下段生地
２０３：裏生地（裏地）
２０４：二つ折り目
Ｈ１、Ｈ３：雌ホック
Ｈ２、Ｈ４：雄ホック
Ｂ１、Ｂ２：バンド
Ｐ１，Ｐ２：ポケット
Ｋ１：数珠
Ｋ２：御霊前金封
【図１】
0003194241.tif 000004
【図２】
0003194241.tif 000005
【図３】
0003194241.tif 000006